(57)【要約】【課題】  簡素で軽量且つ高強度な構造を得る。【解決手段】  ピポットヒンジ２０の軸部２１ｃを中心にしてドア本体１０を回動させるようにしたドア支持構造において、ドア本体１０は、その上端部でドア幅方向へわたる横骨材１１と、横骨材１１の戸尻側に固定された台板３０とを一体に備え、横骨材１１は、ドア本体１０の表面に沿ってドア幅方向へ連続する表側片部１１ａと、ドア本体１０の裏面に沿ってドア幅方向へ連続する裏側片部１１ｂとを具備し、その戸尻側に、表側片部１１ａ及び裏側片部１１ｂの上側を切欠して開口した切欠部１１ａｂを有し、台板３０は、切欠部１１ａｂにおける表側片部１１ａの上縁と裏側片部１１ｂの上縁に跨って固定され、ピポットヒンジ２０は、台板３０の上面に止着されている。【選択図】  図２
2018204212.tif 000002
【特許請求の範囲】
【請求項１】
ピポットヒンジの軸部を中心にしてドア本体を回動させるようにしたドア支持構造において、
前記ドア本体は、その上端部でドア幅方向へわたる横骨材と、該横骨材の戸尻側に固定された台板とを一体に備え、
前記横骨材は、前記ドア本体の表面に沿ってドア幅方向へ連続する表側片部と、前記ドア本体の裏面に沿ってドア幅方向へ連続する裏側片部とを具備し、その戸尻側に、前記表側片部及び前記裏側片部の上側を切欠して開口した切欠部を有し、
前記台板は、前記切欠部における前記表側片部の上縁と前記裏側片部の上縁に跨って固定され、
前記ピポットヒンジは、前記台板の上面に止着されていることを特徴とするドア支持構造。
【請求項２】
前記横骨材は、前記表側片部と、前記裏側片部と、これら表側片部と裏側片部を上端側で接続する連結片部とからなる断面凹状に形成されていることを特徴とする請求項１記載のドア支持構造。
【請求項３】
前記切欠部内における前記表側片部の上縁と前記裏側片部の上縁には、それぞれ、凹部が設けられ、
前記台板は、ドア厚方向の両縁に凸部を有し、これら凸部を、それぞれ、前記表側片部の前記凹部と前記裏側片部の前記凹部に嵌め合わせていることを特徴とする請求項１又は２記載のドア支持構造。
【請求項４】
前記台板は、前記凸部を前記凹部に嵌め合わせて、前記上縁と略面一に設けられていることを特徴とする請求項３記載のドア支持構造。
【請求項５】
前記ピポットヒンジは、前記台板に止着される基部を前記切欠部に嵌り合うように形成しており、
前記台板は、前記基部よりもドア幅方向へ長く形成され、その戸先側部分を、前記切欠部よりも戸先側にて前記表側片部と前記裏側片部の間に嵌め合わせていることを特徴とする請求項１乃至４何れか１項記載のドア支持構造。
【発明の詳細な説明】
【技術分野】
【０００１】
本発明は、ドア本体の戸尻側をピポットヒンジを介して回転可能に支持するようにしたドア支持構造に関するものである。
【背景技術】
【０００２】
従来、この種の発明には、例えば特許文献１に記載されるもののように、平板状のドアと、このドアの戸尻側をその上端部と下端部で回転自在に支持するドア側金具（ピポットヒンジ）とを具備したヒンジ構造がある。
このようなヒンジ構造によれば、平蝶番等を用いた構造に比較して、ドア側金具などの金物がドア面側に露出する部分が少なく、外観上の体裁が良好な上、ドア重量による戸先側の傾斜が比較的少ない等の利点を有する。
【先行技術文献】
【特許文献】
【０００３】
【特許文献１】実開平６−１６６８号公報
【発明の概要】
【発明が解決しようとする課題】
【０００４】
しかしながら、例えば防犯性や耐火性等のためにドア本体を金属材料から形成した場合には、ドア全体が高重量になり易く、ヒンジの取付部分が強度不足になるおそれがあり、工夫を要する。
【課題を解決するための手段】
【０００５】
このような課題に鑑みて、本発明は、以下の構成を具備するものである。
ピポットヒンジの軸部を中心にしてドア本体を回動させるようにしたドア支持構造において、前記ドア本体は、その上端部でドア幅方向へわたる横骨材と、該横骨材の戸尻側に固定された台板とを一体に備え、前記横骨材は、前記ドア本体の表面に沿ってドア幅方向へ連続する表側片部と、前記ドア本体の裏面に沿ってドア幅方向へ連続する裏側片部とを具備し、その戸尻側に、前記表側片部及び前記裏側片部の上側を切欠して開口した切欠部を有し、前記台板は、前記切欠部における前記表側片部の上縁と前記裏側片部の上縁に跨って固定され、
前記ピポットヒンジは、前記台板の上面に止着されていることを特徴とするドア支持構造。
【発明の効果】
【０００６】
本発明は、以上説明したように構成されているので、簡素で軽量且つ高強度な構造を得ることができる。
【図面の簡単な説明】
【０００７】
【図１】本発明に係るドア支持構造の一例を示す正面図である。
【図２】同ドア支持構造の要部を示し、（ａ）は拡大平面図、（ｂ）は一部を切欠した拡大正面図である。
【図３】台板を装着した横骨材の一例を示し、（ａ）は正面図、（ｂ）は（ａ）に対する右側面図である。
【図４】台板を装着した横骨材の一例を示す平面図である。
【図５】（ａ）は図３の(Va)-(Va)線に沿う断面図、（ｂ）は図３の(Vb)-(Vb)線に沿う断面図である。
【図６】台座と上端部横骨材を示す正面図であり、要部を切欠して断面で示している。
【図７】台座の一例を示す平面図である。
【発明を実施するための形態】
【０００８】
本実施の形態では、以下の特徴を開示している。
第１の特徴は、ピポットヒンジの軸部を中心にしてドア本体を回動させるようにしたドア支持構造において、前記ドア本体は、その上端部でドア幅方向へわたる横骨材と、該横骨材の戸尻側に固定された台板とを一体に備え、前記横骨材は、前記ドア本体の表面に沿ってドア幅方向へ連続する表側片部と、前記ドア本体の裏面に沿ってドア幅方向へ連続する裏側片部とを具備し、その戸尻側に、前記表側片部及び前記裏側片部の上側を切欠して開口した切欠部を有し、前記台板は、前記切欠部における前記表側片部の上縁と前記裏側片部の上縁に跨って固定され、前記ピポットヒンジは、前記台板の上面に止着されている。
【０００９】
第２の特徴として、前記横骨材は、前記表側片部と、前記裏側片部と、これら表側片部と裏側片部を上端側で接続する連結片部とからなる断面凹状に形成されている（図３及び図５参照）。
【００１０】
第３の特徴として、前記切欠部内における前記表側片部の上縁と前記裏側片部の上縁には、それぞれ、凹部が設けられ、前記台板は、ドア厚方向の両縁に凸部を有し、これら凸部を、それぞれ、前記表側片部の前記凹部と前記裏側片部の前記凹部に嵌め合わせている（図６参照）。
【００１１】
第４の特徴として、前記台板は、前記凸部を前記凹部に嵌め合わせて、前記上縁と略面一に設けられている（図２及び図６参照）。
【００１２】
第５の特徴として、前記ピポットヒンジは、前記台板に止着される基部を前記切欠部に嵌り合うように形成しており、前記台板は、前記基部よりもドア幅方向へ長く形成され、その戸先側部分を、前記切欠部よりも戸先側にて前記表側片部と前記裏側片部の間に嵌め合わせている（図４〜図６参照）。
【００１３】
＜具体的実施態様＞
次に、上記特徴を有する具体的な実施態様について、図面に基づいて詳細に説明する。
なお、本明細書中、ドア幅方向とは、ドア本体１０の横幅方向（図１によれば左右方向）を意味する。また、ドア厚方向とは、ドア本体１０の厚み方向を意味する。
【００１４】
本実施態様のドア支持構造は、図示しない上下左右の枠体内で、上下のピポットヒンジ２０，２０’の軸部２１ｃを中心にしてドア本体１０を回動させるように構成される。
【００１５】
ドア本体１０は、その上端部と下端部でそれぞれドア幅方向へわたる横骨材１１，１２と、これら上下の横骨材１１，１２の間を連結するようにしてドア幅方向へ間隔を置いて設けられた複数の縦骨材１３〜１７と、これら横骨材及び縦骨材を間に挟むように表裏に設けられた表面板１８及び裏面板１９と、上側の横骨材１１の戸尻側に固定された台板３０とを一体的に具備し、耐火性を有するドアを構成している。
【００１６】
横骨材１１，１２及び縦骨材１３〜１７は、それぞれ、硬質金属材料からなる長尺状の部材である。
縦骨材１３〜１７は、ドア幅方向に所定の間隔を置いて略平行に並べられている。
そして、縦骨材１３〜１７上端と上側の横骨材１１の間、縦骨材１３〜１７下端と下側の横骨材１２の間は、それぞれ、溶接によって接続されている。
また、隣接する前記縦骨材の間には、必要に応じて、芯材や断熱材、防音材等が充填される。
【００１７】
表面板１８は、横骨材１１，１２及び縦骨材１３〜１７の表面部分を覆う正面視矩形状の板材（例えば金属板等）であり、両面テープ又は接着剤等により、横骨材１１，１２及び縦骨材１３〜１７に止着されている。
この表面板１８の戸尻側は、裏面側へ折れ曲がって、縦骨材１７の戸尻側端面の表側の略半分を覆っている（図２（ａ）参照）。同様にして、表面板１８の戸先側も、裏面側へ折れ曲がって、縦骨材１３の戸先側端面の表側の略半分を覆っている。
この表面板１８の戸尻側における上端側には、ピポットヒンジ２０の軸支部２２ｂを手前側へ突出させための切欠１８ａが設けられる。
【００１８】
裏面板１９は、表面板１８に対し、戸厚方向において略対称に構成された金属製板である（図２（ａ）参照）。
【００１９】
また、上端側の横骨材１１は、図３に示すように、下方を開口した溝形鋼状（チャンネル状）の金属製部材である。
詳細に説明すれば、この横骨材１１は、表面板１８の上縁側の裏面に沿ってドア幅方向へ連続する表側片部１１ａと、裏面板１９の上縁側の裏面に沿ってドア幅方向へ連続する裏側片部１１ｂと、これら表側片部１１ａと裏側片部１１ｂをその上端側で連結する連結片部１１ｃとを具備する逆凹状の長尺部材であり、その戸尻側に、台板３０を嵌め合わせるための切欠部１１ａｂを形成している。
【００２０】
切欠部１１ａｂは、図３に示すように、横骨材１１の戸尻側において、表側片部１１ａ及び裏側片部１１ｂの上半部側を矩形状に切欠して、その上方側を開口している。
この切欠部１１ａｂ内において、表側片部１１ａの上縁と、裏側片部１１ｂの上縁には、それぞれ、凹部１１ａ１，１１ｂ１が設けられる。
【００２１】
凹部１１ａ１は、ドア幅方向へ所定の間隔を置いて複数（図示例によれば２つ）設けられる。凹部１１ｂ１も同間隔を置いて複数設けられる。
【００２２】
台板３０は、図７に示すように、ドア幅方向へ長尺な略矩形平板状の金属製部材である。
この台板３０は、ドア厚方向の一方の縁に、切欠部１１ａｂの一方の凹部１１ａ１に対応する複数の凸部３１を有し、ドア厚方向の他方の縁に、切欠部１１ａｂの他方の凹部１１ｂ１に対応する複数の凸部３２を有する。
また、この台板３０には、ピポットヒンジ２０を止着するためのねじ孔３３が、所定のピッチで複数設けられる。
【００２３】
この台板３０のドア幅方向の全長寸法Ｗ１は、本実施の形態の好ましい一例によれば、ピポットヒンジ２０の基部２２ａのドア幅方向の寸法よりも長く、且つ切欠部１１ａｂのドア幅方向の全長寸法Ｗ２よりも若干長く設定されている。
台板３０は、その戸先側部分を、連結片部１１ｃの下側に挿入して表側片部１１ａと裏側片部１１ｂの間に嵌め合わせるとともに、切欠部１１ａｂにおける表側片部１１ａの上縁と裏側片部１１ｂの上縁に跨るように載置される。
そして、この台板３０は、凸部３１，３２をそれぞれ切欠部１１ａｂの凹部１１ａ１，１１ｂ１に嵌め合わせ、表側片部１１ａ及び裏側片部１１ｂの前記両上縁と略面一にされ、横骨材１１に対し溶接固定されている（図２〜図６参照）。
【００２４】
ピポットヒンジ２０，２０’は、ドア本体１０を、その上端面と下端面の戸尻側で回転自在に支持する部材である。
図示例によれば、符号２０が上側のピポットヒンジを示し、下側のピポットヒンジを符号２０’で示している。
これら上下のピポットヒンジ２０，２０’は、周知の構造のものを用いることが可能であり、本明細書では、特に上側のピポットヒンジ２０について詳述する。
【００２５】
上側のピポットヒンジ２０は、図示しない建物の枠体側に固定された固定側部材２１と、ドア本体１０に固定されたドア側部材２２とを具備している（図２（ｂ）参照）。これら固定側部材２１とドア側部材２２は、略同様の平面視形状を呈する。
固定側部材２１は、建物側の枠体に止着される基部２１ａと、基部２１ａからドア厚方向の一方へ突出する軸支部２１ｂとを一体に有する（図２参照）。
また、ドア側部材２２は、ドア本体１０に止着される基部２２ａと、基部２２ａからドア厚方向の一方へ突出する軸支部２２ｂとを一体に有する。
【００２６】
固定側部材２１の軸支部２１ｂには、下向きに軸部２１ｃが突出している。この軸部２１ｃは、ドア側部材２２の軸支部２２ｂに設けられた軸孔２２ｂ１（図２参照）に挿入される。
したがって、ドア側部材２２は、固定側部材２１に相対し、軸部２１ｃを中心にして回動する。
【００２７】
ドア側部材２２の基部２２ａは、横骨材１１の切欠部１１ａｂに嵌り合うように、切欠部１１ａｂのドア幅方向の寸法Ｗ２（図３参照）よりもドア幅方向へ若干短く形成される。
この基部２２ａは、ネジやボルト等の複数の止着具２２ｃ（図２（ａ）参照）によって台板３０の上面に固定される。
【００２８】
なお、図１中、符号２３は、ドア本体１０を開閉操作するためのレバーハンドル、符号２４は、施錠操作のためのサムターンである。その他、ドア本体１０には、必要に応じて、ドアクローザーやダンパー等が設けられる。
【００２９】
次に、上記構成のドア支持構造について、その特徴的な作用効果を詳細に説明する。
ピポットヒンジ２０は、切欠部１１ａｂに嵌り合い、台板３０の上面に頑強に止着される。
台板３０は、表側片部１１ａ及び裏側片部１１ｂの上縁の凹部１１ａ１，１１ｂ１に嵌り合って載置されるとともに、これら表側片部１１ａと裏側片部１１ｂの間に挟まれているため、ドア幅方向とドア厚方向の両方向の荷重に対し、優れた耐久性を発揮する。
しかも、台板３０がピポットヒンジ２０の基部２２ａよりもドア幅方向へ長く形成され、この台板３０の戸先側が、横骨材１１を構成する連結片部１１ｃの下側に入り込むようにして、表側片部１１ａと裏側片部１１ｂの間に挟まれているため、特にピポットヒンジ２０から受ける荷重に対して優れた耐久性を発揮する。
よって、簡素で軽量且つ高強度なドア支持構造を得ることができる。
【００３０】
なお、上記実施態様によれば、横骨材１１を下方を開口した溝形鋼状に形成したが、他例としては、同横骨材１１を上方を開口した溝形鋼状に形成し、この表側片部１１ａ及び裏側片部１１ｂの戸尻側の上端寄りに切欠部を設け、この切欠部に台板３０を止着した態様とすることも可能である。
【００３１】
また、横骨材１１の他例としては、Ｈ形鋼状やＩ形鋼状、角筒状等に構成することも可能である。
【００３２】
また、上記実施態様によれば、特に好ましい一例として、台板３０の凸部３１，３２を、横骨材１１側の凹部１１ａ１，１１ｂ１に嵌め合わせるようにしたが、他例としては、これら凹凸部を省いて、切欠部１１ａｂの上縁に台板３０を載置して溶着した構成とすることも可能である。
【００３３】
また、上記実施態様では、特にドア本体１０上端側のヒンジ構造について説明したが、ドア本体１０下端側のヒンジ構造については、上端側と同様の構成を用いたり、他の周知のヒンジ構造を用いたりすることが可能である。
【００３４】
また、図１によれば、右勝手のドア支持構造を示しているが、他例としては、左右対称の構成により左勝手のドア支持構造にしたり、ドア厚方向の構造を反対にしたドア支持構造にしたりすることも可能である。
【００３５】
なお、本発明は上述した実施態様に限定されず、本発明の要旨を変更しない範囲で適宜変更可能である。
【００３６】
また、他の発明としては、上述した切欠部１１ａｂ及び台板３０等の構造を、縦骨材１７（図１参照）の戸尻面に設けて、この戸尻面の台板３０に、ピポットヒンジ以外のヒンジ（例えば平蝶番等）を止着することも可能である。
【符号の説明】
【００３７】
１０：ドア本体
１１：横骨材
１１ａ：表側片部
１１ａ１：凹部
１１ｂ：裏側片部
１１ｂ１：凹部
１１ｃ：連結片部
１１ａｂ：切欠部
２０：ピポットヒンジ
２１：固定側部材
２１ａ：基部
２１ｂ：軸支部
２１ｃ：軸部
２２：ドア側部材
３０：台板
３１，３２：凸部
【図１】
2018204212.tif 000003
【図２】
2018204212.tif 000004
【図３】
2018204212.tif 000005
【図４】
2018204212.tif 000006
【図５】
2018204212.tif 000007
【図６】
2018204212.tif 000008
【図７】
2018204212.tif 000009